(57)【要約】【課題】ケーブル固定時の操作性をより良好にすることのできるケーブル用コネクタを得る。【解決手段】ハウジング３と、ハウジング３に設けられ、ケーブル２の表面に対向する第１接点部４ａと当該ケーブル２の裏面に対向する係合枢支部４ｂとを有する第１コンタクト４と、ハウジング３に設けられ、前記ケーブル２の表面に対向する第２接点部５ａと当該ケーブル２の裏面に対向する壁部５ｂとを有する第２コンタクト５と、前記係合枢支部４ｂが挿入される貫通穴６ｂと前記係合枢支部４ｂに係合するカム部６ｃとで前記係合枢支部４ｂに回動可能に支持され、前記ケーブル２を接点部４ａ，５ａに圧接させるカバー６と、を備えたケーブル用コネクタ１であって、係合枢支部４ｂは、カバー６がケーブル２の挿脱方向へ移動できるように、カム部６ｃを係合するとともに、壁部５ｂは、カバー６のケーブル２の挿入方向への移動を規制した。【選択図】図４
2008243553.tif 000002
【特許請求の範囲】
【請求項１】
ハウジングと、
前記ハウジングに設けられるとともに、シート状のケーブルが挿入され、前記ケーブルの表面に対向する第１接点部と当該ケーブルの裏面に対向する係合枢支部とを有する第１コンタクトと、
前記ハウジングに前記第１コンタクトと並列に設けられるとともに、ケーブルが挿入され、前記ケーブルの表面に対向する第２接点部と当該ケーブルの裏面に対向する壁部とを有する第２コンタクトと、
前記係合枢支部が挿入される貫通穴と前記係合枢支部に係合するカム部とを有するとともに、当該貫通穴とカム部とで前記係合枢支部に回動可能に支持され、前記ケーブルを前記接点部に圧接させるカバーと、
を備え、
前記係合枢支部は、前記カバーが前記ケーブルの挿脱方向へ移動できるように、前記カム部を係合するとともに、前記壁部は、前記カバーの前記ケーブルの挿入方向への移動を規制することを特徴とするケーブル用コネクタ。
【請求項２】
前記壁部は、傾斜部を備え、前記カバーは、当該カバーを閉じた際に前記傾斜部と当接する当接部を備えることを特徴とする請求項１に記載のケーブル用コネクタ。
【請求項３】
前記当接部は、前記カバーに突状に設けられていることを特徴とする請求項２に記載のケーブル用コネクタ。
【発明の詳細な説明】
【技術分野】
【０００１】
本発明は、ケーブル用コネクタに関し、特に、フラットリボンケーブルやＦＰＣなどのケーブルを接続するのに適したケーブル用コネクタに関する。
【背景技術】
【０００２】
従来、ケーブル用コネクタとして、ＦＰＣケーブルを受けるハウジングと、ハウジングに所定のピッチでそれぞれ固定保持された複数の第１および第２コンタクトと、ＦＰＣケーブルを第１および第２コンタクトに圧接させるためのアクチュエータとを備えるものが知られている（例えば特許文献１参照）。
【０００３】
この特許文献１では、第１および第２コンタクトは、ＦＰＣケーブルの一面に対向する第１および第２接点部とこのＦＰＣケーブルの反対面に対向する第１および第２係合枢支部とをそれぞれ一体に有している。そして、第１係合枢支部の外周は円弧状に形成されているとともに、アクチュエータに形成された円弧状の第１カム部と第１係合枢支部とが係合し、アクチュエータには、第１係合枢支部が第１カム部に沿って周回するように、第１カム部に隣接する貫通穴を形成し、以て、アクチュエータが第１係合枢支部によって回動可能に支持されるようにしている。
【特許文献１】特開２００１−１１０４８３号公報
【発明の開示】
【発明が解決しようとする課題】
【０００４】
しかしながら、かかる従来技術では、第１コンタクトの第１係合枢支部は、アクチュエータの第１カム部を、上方向、ケーブルの挿入方向および離脱方向の３方向への移動をそれぞれ規制するように係合しているため、アクチュエータを閉じる際に、第１係合枢支部と第１カム部との間に生じる摩擦力が大きくなってしまい、アクチュエータの操作力が増大し、操作性が悪くなってしまうという問題がある。
【０００５】
そこで、本発明は、ケーブル固定時の操作性をより良好にすることのできるケーブル用コネクタを得ることを目的とする。
【課題を解決するための手段】
【０００６】
請求項１に記載の発明は、ハウジングと、前記ハウジングに設けられるとともに、シート状のケーブルが挿入され、前記ケーブルの表面に対向する第１接点部と当該ケーブルの裏面に対向する係合枢支部とを有する第１コンタクトと、前記ハウジングに前記第１コンタクトと並列に設けられるとともに、ケーブルが挿入され、前記ケーブルの表面に対向する第２接点部と当該ケーブルの裏面に対向する壁部とを有する第２コンタクトと、前記係合枢支部が挿入される貫通穴と前記係合枢支部に係合するカム部とを有するとともに、当該貫通穴とカム部とで前記係合枢支部に回動可能に支持され、前記ケーブルを前記接点部に圧接させるカバーと、を備え、前記係合枢支部は、前記カバーが前記ケーブルの挿脱方向へ移動できるように、前記カム部を係合するとともに、前記壁部は、前記カバーの前記ケーブルの挿入方向への移動を規制することを特徴とする。
【０００７】
請求項２に記載の発明は、請求項１に記載のケーブル用コネクタにおいて、前記壁部は、傾斜部を備え、前記カバーは、当該カバーを閉じた際に前記傾斜部と当接する当接部を備えることを特徴とする。
【０００８】
請求項３に記載の発明は、請求項２に記載のケーブル用コネクタにおいて、前記当接部は、前記カバーに突状に設けられていることを特徴とする。
【発明の効果】
【０００９】
請求項１の発明によれば、第１コンタクトの係合枢支部は、カバーのカム部をケーブルの挿脱方向へ移動できるように係合しているため、係合枢支部がカム部のケーブル挿脱方向への規制をすることがなく、カバーの開閉操作時に、係合枢支部とカム部との間に大きな摩擦力が生じてしまうのを抑制することができ、カバーの操作性をより良好にすることができる。
【００１０】
請求項２の発明によれば、第２コンタクトの壁部に傾斜部を設けるとともに、カバーを閉じた際に前記傾斜部と当接する当接部をカバーに設けたことで、ケーブル固定時にカバーを閉じると、カバーは、これら傾斜部および当接部によって、ケーブル挿入方向への移動ならびに上方への移動が規制される。その結果、ケーブル固定時に閉じたカバーが開いてしまうのを抑制することができ、接続の信頼性を高めることができる。
【００１１】
請求項３の発明によれば、当接部をカバーに突状に設けているため、カバーの肉厚が薄くなってしまうことを極力抑え、カバー強度が低下してしまうのを抑制することができる。
【発明を実施するための最良の形態】
【００１２】
以下、本発明の実施形態について図面を参照しながら詳細に説明する。
【００１３】
（第１実施形態）図１は、本実施形態にかかるケーブル用コネクタの外観斜視図、図２は、ハウジングの外観斜視図、図３は、第１コンタクトの断面図で、カバーを開いた状態を示す図、図４は、第１コンタクトの断面図で、カバーを閉じた状態を示す図、図５は、第２コンタクトの断面図で、カバーを開いた状態を示す図、図６は、第２コンタクトの断面図で、カバーを閉じた状態を示す図である。
【００１４】
ケーブル用コネクタ１は、ＦＰＣやＦＦＣ等の表面及び裏面を持つシート状のケーブル２が挿入される絶縁性のハウジング３と、ケーブル２の表面に対向する第１接点部４ａと裏面に対向する係合枢支部４ｂとを有し、ハウジング３の内部に所定の等ピッチで長手方向に一列に並べられて固定保持された複数の導電性の第１コンタクト４と、ケーブル２の表面に対向する第２接点部５ａと裏面に対向する壁部５ｂとを有し、ハウジング３の内部に第１コンタクト４と並列に保持された複数の導電性の第２コンタクト５と、ケーブル２をハウジング３に挿入することのできる開位置とハウジング３に挿入したケーブル２を第１および第２接点部４ａ，５ａの方向に押圧する閉位置との間で回動可能な絶縁性のカバー６と、を備えている。
【００１５】
ハウジング３は、合成樹脂等の絶縁材料で形成されており、ケーブル２を前方（図３において左側）から挿入する袋状のケーブル受入部３ａが上下略中間部に形成されている。
【００１６】
また、ケーブル２の挿入端部の表面（図３における下面）には、所定の等ピッチで図示しない多数の導体が前後２列の千鳥状に露出している。
【００１７】
そして、ハウジング３の上壁３ｇの入口側（前側）は、略半分が取り除かれており、かかる部位には、カバー６を収容する上方開口部３ｂが形成されている。
【００１８】
ハウジング３の上方開口部３ｂの両端部には、上方を開放した軸受部３ｃが形成されている。この軸受部３ｃは、ハウジング３の長手方向で対向している。
【００１９】
カバー６は、ハウジング３の上方開口部３ｂに収容可能な板状の部材であり、このカバー６も合成樹脂等の絶縁材料で形成されている。そして、カバー６の左右両端面の基端部には枢支軸６ａがそれぞれ突出形成されている。本実施形態では、ハウジング３の上方よりカバー６の左右の枢支軸６ａをハウジング３の左右の軸受部３ｃに嵌め込むことで、ハウジング３の上方開口部３ｂにカバー６が開閉（回動）可能に取り付けられる。
【００２０】
このカバー６は、図３，図５に示す開位置から図４，図６に示す閉位置まで回動する。そして、カバー６が閉位置にある時には、カバー６は略水平姿勢となりハウジング３の上方開口部３ｂに収容され、ケーブル２を接点部４ａ，５ａの方向（図３において下方）に押圧する。他方、カバー６が開位置にある時には、ハウジング３の上方開口部３ｂから後傾の起立姿勢で立ち上がり、ケーブル受入部３ａの入口側略半分がハウジング３の上方に開放され、ハウジング３のケーブル受入部３ａにケーブル２を挿入できるようになる。そして、カバー６には、カバー６を開操作するための取手部６ｆが設けられている。
【００２１】
第１コンタクト４と第２コンタクト５は、ハウジング３の長手方向に沿って交互に配列されている。これら第１コンタクト４及び第２コンタクト５は、それぞれ薄板金属を打抜き加工して形成されている。
【００２２】
そして、第１コンタクト４と第２コンタクト５は、それぞれ相反する２方向からハウジング３に挿入され、固定保持される。具体的には、ハウジング３には、第１コンタクト４をハウジング３の前方（入口側）から後方（奥側）、すなわち、ケーブル２の挿入方向（図３において左から右方向）に１本ずつ挿入するための多数の第１の穴３ｅと、第２コンタクト５を１本ずつハウジング３の後方（奥側）から前方（入口側）、すなわち、ケーブル２の離脱方向（図５において右から左方向）に挿入するための多数の第２の穴３ｆとが、交互に、第１コンタクト４及び第２コンタクト５の配列ピッチに対応した所定の等ピッチでハウジング３の長手方向に形成されており、第１の穴３ｅと第２の穴３ｆを介して第１コンタクト４と第２コンタクト５とが、ハウジング３の内部に所定の等ピッチで長手方向に交互に並列するように取り付けられている。すなわち、第１コンタクト４と第２コンタクト５は、ハウジング３内への挿入量が調節できるようになっている。
【００２３】
第１コンタクト４は、ハウジング３のケーブル受入部３ａより奥側で上下壁３ｇ，３ｈの間に嵌合される基部４ｆと、基部４ｆの下端からハウジング３の下壁３ｈに沿って入口側前面まで延出されてケーブル受入部３ａの下側に配設される下側アーム部４ｄと、基部４ｆの上端からハウジング３の上壁３ｇに沿って上方開口部３ｂまで延出されてケーブル受入部３ａの上側に配設される上側アーム部４ｅと、を備えている。
【００２４】
基部４ｆは、上側縁部に突起部が設けられており、第１の穴３ｅ内で、当該突起部をハウジング３の上壁３ｇに喰い込ませることで、ハウジング３に第１コンタクト４を係止できるようになっている。
【００２５】
下側アーム部４ｄには、略中間部に第１接点部４ａが形成されているとともに、先端部下縁から下向きにストッパ４ｃが突出形成されている。このストッパ４ｃが、第１コンタクト４をハウジング３の第１の穴３ｅに挿入する時の第１コンタクト４のハウジング３に対する最大挿入量を規制している。また、このストッパ４ｃは、ケーブル用コネクタ１の下面に突出させる表面実装用の半田付け部を兼ねており、図４に示すように、下側アーム部４ｄの先端部から下方に向けて突出している。
【００２６】
上側アーム部４ｅの先端には、略鉤状の係合枢支部４ｂが上下方向に弾性変位可能に形成されて上方開口部３ｂに向けて突出している。本実施形態では、係合枢支部４ｂは、第１接点部４ａの位置よりもケーブル２の離脱方向側に突出するようにしている。
【００２７】
第２コンタクト５は、ハウジング３のケーブル受入部３ａより奥側で上下壁３ｇ，３ｈの間に嵌合される基部５ｆと、基部５ｆの下端からハウジング３の下壁３ｈに沿って延出されてケーブル受入部３ａの下側に配設される下側アーム部５ｅと、基部５ｆの上端からハウジング３の上壁３ｇに沿って延出されてケーブル受入部３ａの上側に配設される壁部５ｂと、を備えている。
【００２８】
基部５ｆは、上側縁部に突起部が設けられており、第２の穴３ｆ内で、当該突起部をハウジング３の上壁３ｇに喰い込ませることで、ハウジング３に第２コンタクト５を係止できるようになっている。そして、基部５ｆの下縁から下向きにストッパ５ｃが突出形成されている。このストッパ５ｃが、第２コンタクト５をハウジング３の第２の穴３ｆに挿入する時の第２コンタクト５のハウジング３に対する最大挿入量を規制している。また、このストッパ５ｃは、ケーブル用コネクタ１の下面に突出させる表面実装用の半田付け部を兼ねており、図６に示すように、下側アーム部５ｅの先端部から下方に向けて突出している。
【００２９】
下側アーム部５ｅには、その先端部に第２接点部５ａが形成されている。この下側アーム部５ｅは、弾性変形可能に形成されており、ケーブル２が挿入されると下方に弾性変形して上方付勢力が働くようになっている。
【００３０】
このように、第１コンタクト４と第２コンタクト５を、ハウジング３に装着した状態では、第１コンタクト４の第１接点部４ａとび第２コンタクト５の第２接点部５ａとがハウジング３内でそれぞれ１列で整列することになる。この結果、ケーブル２の挿入方向側で１列に整列している第１コンタクト４の第１接点部４ａと、ケーブル２の離脱方向側で１列に整列している第２コンタクト５の第２接点部５ａと、によって、第１および第２接点部４ａ，５ａの全体が千鳥状に配列され、ケーブル２の表面に設けられ千鳥状に露出した多数の導体と接触できるようになっている。
【００３１】
また、本実施形態では、係合枢支部４ｂは、ハウジング３内で、第１コンタクト４の第１接点部４ａの列と、第２コンタクト５の第２接点部５ａの列の間の上方位置に配置されている。
【００３２】
カバー６には、第１コンタクト４に設けた係合枢支部４ｂに対応するようにして、貫通穴６ｂが設けられている。さらに、カバー６の貫通穴６ｂに隣接する位置には、カバー６の回動に伴って回動するカム部６ｃが形成されている。そして、第１コンタクト４の係合枢支部４ｂが、このカム部６ｃを係合することで、カバー６が係合枢支部４ｂに回動可能に支持されている。さらに本実施形態では、図３に示すように、第１コンタクト４の係合枢支部４ｂが、カム部６ｃを、カバー６がケーブル２の挿脱方向（ケーブル２の挿入方向および離脱方向）へ移動できるように、遊びを持たせて係合している。このように、遊びを持たせてカム部６ｃがケーブル２の挿脱方向に移動できるように係合することで、係合枢支部４ｂとカム部６ｃとの間に生じる摩擦力を低減させている。
【００３３】
そして、図５，図６に示すように、第２コンタクト５の壁部５ｂが、カバー６のケーブル２の挿入方向への移動を規制している。また、第２コンタクト５の壁部５ｂは、カバー６の開方向への回動を規制するストッパとしての機能も有している。
【００３４】
また、カバー６が閉位置にある時にケーブル２の反対側を向くカバー６の外面側には、カバーを開いたときに、カバーの端部がケーブル２の挿入を邪魔することがないように傾斜面６ｄが形成されている。そして、カム部６ｃの当該傾斜面６ｄに対応する位置にも傾斜面が設けられており、カバー６の傾斜面６ｄとカム部６ｃの傾斜面とが面一となるようにしている。
【００３５】
また、カバー６が閉位置にある時にケーブル２と対向するカバー６の内面側には、ケーブル２を下方に押圧するケーブル押圧部６ｅが形成されている。このケーブル押圧部６ｅは、カバー６の内面における各貫通穴６ｂの間にそれぞれ突出形成されている。
【００３６】
以上の構成による本実施形態によれば、カバー６を開の状態とすると、ケーブル２を、ケーブル受入部３ａ内に容易に挿入することができる。
【００３７】
そして、ケーブル２を挿入した後、カバー６を図４，図６の閉の位置まで回動すると、カバー６の下面のケーブル押圧部６ｅがケーブル２を下方の第１接点部４ａ，第２接点部５ａ側に向けて押圧し、第１接点部４ａ，第２接点部５ａとケーブル２の接点が適度の接圧で係合して電気的に接続される。すなわち、ケーブル２が、カバー６の下面と第１接点部４ａおよび第２接点部５ａとの間に挟まれることになり、ケーブル２の厚さの分だけ、下側アーム部５ｅが下方に弾性変形し、その弾力によって適度の接圧が得られるようになる。
【００３８】
以上の本実施形態によれば、第１コンタクト４の係合枢支部４ｂは、カバー６のカム部６ｃをケーブル２の挿脱方向へ移動できるように遊びをもって係合しているため、係合枢支部４ｂがカム部６ｃのケーブル２の挿脱方向（挿入方向および離脱方向）への規制をすることがなく、カバー６の開閉操作時に、係合枢支部４ｂとカム部６ｃとの間に大きな摩擦力が生じてしまうのを抑制することができ、カバー６の開閉操作の操作性をより良好にすることができる。
【００３９】
また、本実施形態によれば、第２コンタクト５の壁部５ｂが、カバー６のケーブル２の挿入方向への移動を規制しているため、カバー６のカム部６ｃをケーブル２の挿脱方向へ移動できるように遊びをもって係合させたとしても、カバー６のケーブル２の挿脱方向への移動は抑制されるので、カバー６の開閉操作時のがたつきを抑制することができる。
【００４０】
また、本実施形態では、カバー６のカム部６ｃと第１コンタクト４の係合枢支部４ｂの係合によって形成される回動中心が、第１コンタクト４の第１接点部４ａの列と、第２コンタクト５の第２接点部５ａの列の間の上方に位置するようにしているので、第１コンタクト４の第１接点部４ａと、第２コンタクト５の第２接点部５ａとの間のケーブル２が変形しやすい位置でカバー６を回動させることができ、カバー６の開閉操作の操作性をより良好にすることができる。
【００４１】
また、第１コンタクト４と第２コンタクト５のハウジング３への挿入量を適宜設定することで、カバー６の回動中心、第１接点部４ａおよび第２接点部５ａの相対位置を変更して、より操作性の良好なケーブル用コネクタを得ることができるという利点もある。
【００４２】
（第２実施形態）図７は、本実施形態にかかるケーブル用コネクタの第１コンタクトの断面図で、カバーを閉じた状態を示す図、図８は、カバーを閉じた状態を示す図である。なお、本実施形態にかかるケーブル用コネクタは、上記第１実施形態にかかるケーブル用コネクタと同様の構成要素を備える。よって、それら同様の構成要素については共通の符号を付すとともに、重複する説明を省略する。
【００４３】
本実施形態にかかるケーブル用コネクタ１Ａは、第２コンタクト５Ａの上部に設けられた壁部５ｂＡの先端部に、傾斜部５ｄを備えており、当該カバー６を閉じた際に、前記傾斜部５ｄとカバー６に設けられた傾斜面６ｄとが当接するようにした点が上記第１実施形態と異なっている。すなわち、本実施形態では、カバー６の傾斜面６ｄが当接部に相当している。そして、この傾斜部５ｄが、ケーブル２の固定時にカバー６を閉じた際に、カバー６のケーブル２の挿入方向への移動ならびに上方への移動を規制している。
【００４４】
また、上記第１実施形態同様、第１コンタクト４の係合枢支部４ｂが、カバー６のカム部６ｃをケーブル２の挿脱方向へ移動できるように遊びをもって係合している。
【００４５】
以上の本実施形態によっても、上記第１実施形態と同様の効果を得ることができる。
【００４６】
また、本実施形態によれば、第２コンタクト５Ａの壁部５ｂＡに傾斜部５ｄを設けるとともに、カバー６を閉じた際に傾斜部５ｄと当接する傾斜面（当接部）６ｄをカバー６に設けたことで、ケーブル２の固定時にカバー６を閉じると、カバー６は、これら傾斜部５ｄおよび傾斜面（当接部）６ｄによって、ケーブル２の挿入方向への移動ならびに上方への移動が規制される。その結果、ケーブル固定時に閉じたカバー６が開いてしまうのを抑制することができ、ケーブル用コネクタ１Ａの接続の信頼性を高めることができる。
【００４７】
（第３実施形態）図９は、本実施形態にかかるケーブル用コネクタの第１コンタクトの断面図で、カバーを閉じた状態を示す図、図１０は、カバーを閉じた状態を示す図である。なお、本実施形態にかかるケーブル用コネクタは、上記第１実施形態にかかるケーブル用コネクタと同様の構成要素を備える。よって、それら同様の構成要素については共通の符号を付すとともに、重複する説明を省略する。
【００４８】
本実施形態にかかるケーブル用コネクタ１Ｂは、カバー６Ｂの傾斜面６ｄＢに突部６ｇを設け、第２コンタクト５Ｂの上部に設けられた壁部５ｂＢの先端部に傾斜部５ｄを設け、当該カバー６Ｂを閉じた際に、前記傾斜部５ｄＢとカバー６Ｂに設けられた傾斜面６ｄＢとが当接するようにした点が上記第１および第２実施形態と異なっている。すなわち、本実施形態では、カバー６の突部６ｇが当接部に相当している。そして、上記第２実施形態同様、傾斜部５ｄＢが、ケーブル２の固定時にカバー６Ｂを閉じた際に、カバー６Ｂのケーブル２の挿入方向への移動ならびに上方への移動を規制している。
【００４９】
また、上記第１および第２実施形態同様、第１コンタクト４の係合枢支部４ｂが、カバー６Ｂのカム部６ｃをケーブル２の挿脱方向へ移動できるように遊びをもって係合している。
【００５０】
以上の本実施形態によっても、上記第１および第２実施形態と同様の効果を得ることができる。
【００５１】
また、本実施形態によれば、突部（当接部）６ｇをカバー６Ｂに突状に設けているため、カバー６Ｂの肉厚が薄くなってしまうことを極力抑えることができ、カバー６Ｂの強度が低下してしまうのを抑制することができる。
【００５２】
以上、本発明にかかるケーブル用コネクタの好適な実施形態について説明したが、本発明は上記実施形態に限ることなく要旨を逸脱しない範囲で種々の実施形態を採用することができる。
【図面の簡単な説明】
【００５３】
【図１】本発明の第１実施形態にかかるケーブル用コネクタの外観斜視図である。
【図２】本発明の第１実施形態にかかるケーブル用コネクタのハウジングの外観斜視図である。
【図３】本発明の第１実施形態にかかるケーブル用コネクタの第１コンタクトの断面図で、カバーを開いた状態を示す図である。
【図４】本発明の第１実施形態にかかるケーブル用コネクタの第１コンタクトの断面図で、カバーを閉じた状態を示す図である。
【図５】本発明の第１実施形態にかかるケーブル用コネクタの第２コンタクトの断面図で、カバーを開いた状態を示す図である。
【図６】本発明の第１実施形態にかかるケーブル用コネクタの第２コンタクトの断面図で、カバーを閉じた状態を示す図である。
【図７】本発明の第２実施形態にかかるケーブル用コネクタの第１コンタクトの断面図で、カバーを閉じた状態を示す図である。
【図８】本発明の第２実施形態にかかるケーブル用コネクタの第２コンタクトの断面図で、カバーを閉じた状態を示す図である。
【図９】本発明の第３実施形態にかかるケーブル用コネクタの第１コンタクトの断面図で、カバーを閉じた状態を示す図である。
【図１０】本発明の第３実施形態にかかるケーブル用コネクタの第２コンタクトの断面図で、カバーを閉じた状態を示す図である。
【符号の説明】
【００５４】
１  ケーブル用コネクタ
２  ケーブル（ＦＰＣ／ＦＦＣ）
３  ハウジング
４  第１コンタクト
４ａ  第１接点部
４ｂ  係合枢支部
５  第２コンタクト
５ａ  第２接点部
５ｂ  壁部
５ｄ  傾斜部
６  カバー
６ｂ  貫通穴
６ｃ  カム部
６ｇ  突部（当接部）
【図１】
2008243553.tif 000003
【図２】
2008243553.tif 000004
【図３】
2008243553.tif 000005
【図４】
2008243553.tif 000006
【図５】
2008243553.tif 000007
【図６】
2008243553.tif 000008
【図７】
2008243553.tif 000009
【図８】
2008243553.tif 000010
【図９】
2008243553.tif 000011
【図１０】
2008243553.tif 000012